(57)【特許請求の範囲】
【請求項１】
ゴムシートを袋状とし、河床に構築された越流堰堤の頂部へ袋とじ部を固定し、膨張或いは収縮させ放流する水量を調整するラバーダムにおいて、
前記越流堰堤の頂部から下流側に向けて、河幅方向に所定の間隔で略水平に張り出し、河床から立設された支柱に支持され、倒伏したゴムシートを支持する支持体を設け、
前記倒伏したゴムシートが前記支持体の間に落ち込むようにして支持される、
ことを特徴とするラバーダム。
【発明の詳細な説明】
【０００１】
【発明の属する技術分野】
本発明は、ダムの余水吐け（可動式）や河川を横断して水を堰き止めるラバーダムに関する。
【０００２】
【従来の技術】
図８に示すように、河川の流れを堰き止め、放流水量を調整する堰としてのアーチラバーダム３０が実用化されている。
【０００３】
このアーチラバーダム３０は、ゴムシート３２を二つ折にして重ね合わせ袋状とし、河床に構築された越流堰堤１４に載せ、袋とじ部３２Ａをボルト２０で越流堰堤１４の頂部に固定することで、ゴムシート３２がアーチ形状となるように施工される。
【０００４】
しかし、ゴムシート３２をアーチ状に曲げると、曲率差で固定側（上流側）が長手方向へ引っ張られるので、ゴムシート３２が倒伏したとき、上流側に収縮する力が作用して、図９に示すように、下流側が部分的に隆起する。このように、倒伏時にゴムシート３２が隆起すると、流木等が当って、磨耗し又は損傷が生じる。
【０００５】
また、法部にゴムシート３２の両端部を固定するとき、越流堰堤１４の傾斜面にゴムシート３２が垂れ下がるため、施工性が良くない。
【０００６】
【発明が解決しようとする課題】
本発明は係る事実を考慮し、収縮時（倒伏時）に、ゴムシートが部分的に隆起せず、また施工性のよいラバーダムを提供することを目的とする。
【０００７】
【課題を解決するための手段】
請求項１に記載の発明では、ゴムシートが袋状とされ、袋とじ部が越流堰堤の頂部に固定される。そして、袋状となったゴムシートを膨張させると、ラバーダムが起立し、水を堰き止め放出する水量を調整する。
【０００８】
次に、袋状となったゴムシートを収縮させ倒伏させると、越流堰堤の頂部から下流側に向けて、河幅方向に所定の間隔で略水平に張り出した支持体に支持される。そして、この支持体は、河床から立設された支柱に支持されている。このため、ゴムシートは自重と流下する水の重さで支持体と支持体の間に落ち込むようにして垂れ下がり、下流側が隆起しない。
【０００９】
また、支持体の上にゴムシートを載せて、その両端を法部に固定することができるので、施工性が良くなる。
【００１０】
【発明の実施の形態】
図１〜図５には、本発明に係る一実施形態としてアーチラバーダム１０が示されている。
【００１１】
アーチラバーダム１０は、帯状のゴムシート１２を２つ折りにして、重なり合った袋とじ部１２Ａを、河床にコンクリートで構築されたアーチ状の越流堰堤１４の頂部１４Ａへ固定することによって構築される。
【００１２】
袋とじ部１２Ａには、ボルト孔が形成されている。このボルト孔をプレート１８で押えて、ボルト２０でゴムシート１２の袋とじ部１２Ａを越流堰堤１４の頂部１４Ａへ固定する。また、ゴムシート１２の両端部（岸側）は、固定ダム５０の法部に固定され、袋状とされる。
【００１３】
また、越流堰堤１４には、ゴムシート１２の内部と連通する給排配管（図示省略）が配設されており、アーチラバーダム１０へ流体を供給し、あるいはアーチラバーダム１０から流体を排出させて、アーチラバーダム１０を起立又は倒伏させるようになっている。
【００１４】
また、越流堰堤１４の頂部１４Ａからは、アーチの曲率中心に向かって、河幅方向に一定の間隔で水平に支持体としてのパイプ４０が張り出している。このパイプ４０の先端は、河床から立設された支柱４２に支持され、所定の支持強度を備えている。
【００１５】
次に、本形態に係るアーチラバーダムの施工方法及び作用を説明する。
先ず、越流堰堤１４を構築した後、河床から支柱４２を立ち上げ、この支柱４２と頂部１４Ａとの間にパイプ４０を掛け渡す。
【００１６】
次に、袋状のゴムシート１２を、パイプ４０の上に載置し、ゴムシート１２の袋とじ部１２Ａをボルト２０で越流堰堤１４の頂部１４Ａに固定すると共に、固定ダム５０の法部にゴムシート１２の両端を固定する。
【００１７】
このように、パイプ４０の上にゴムシート１２を載せて、その両端を法部に固定することができるので、施工性が良くなる。
【００１８】
このような構成において、袋状となったゴムシート１２を収縮させ倒伏させると、図４〜図５に示すように、ゴムシート１２は河幅方向にウェーブ（俗に言うドラゴンウェーブ）を描いて、パイプ４０の間に落ち込むようにして垂れ下がり、下流側が隆起することなく、弛みを吸収することができる。
【００１９】
なお、本形態では、支柱４２の高さや、パイプ４０の径やピッチは、越流水量や河幅に応じて、設計されるものである。また、パイプ４０を下流側に向かって下り勾配となるように配置することで、ゴムシート１２に作用する流水抵抗を下げることができる。
【００２０】
さらに、本形態では、アーチラバーダムについて説明したが、ストレートに構築されたラバーダムにも適用できることは無論である。このようなストレート式のラバーダムの場合、図６に示すように、パイプ４０を配設することで、ゴムシート５４を収縮させたとき、破線で示すようにゴムシート５４が垂れ下がらず、実線のようになるので、越流時に、ゴムシート５４の両端部に作用する水圧を低減させることができる。
【００２１】
また、本形態では、支持体としてパイプ４０を利用したが、これに限定されることなく、図７に示すように、越流堰堤１４の斜面にコンクリートを打設して、頂部が下流側に向かって水平となる壁体５２を構築してもよい。さらに、本発明が適用されるラバーダムはゴムシートを２つ折りにしたものに限らず、２枚のゴムシートの両端を接合して、袋状としたものでもよい。
【００２２】
【発明の効果】
本発明は上記構成としたので、倒伏時にゴムシートの下流側が隆起したり、弛みが生じることがない。このため、ゴムシートが流木等で損傷することがない。また、倒伏時には、ゴムシートは越流堰堤等と非接触となっているので、振動が生じて磨耗することがない。
【図面の簡単な説明】
【図１】本形態に係るラバーダムが起立した状態を示す断面図である。
【図２】本形態に係るラバーダムが起立した状態を示す平面図である。
【図３】本形態に係るラバーダムが倒伏した状態を示す断面図である。
【図４】本形態に係るラバーダムが倒伏した状態を示す斜視図である。
【図５】本形態に係るラバーダムが倒伏した状態を下流側から見た正面図である。
【図６】ストレート式のラバーダムが倒伏した状態を下流側から見た正面図である。
【図７】支持体の変形例を示す斜視図である。
【図８】従来のラバーダムが起立した状態を示す斜視である。
【図９】従来のアーチラバーダムが倒伏した状態を示す斜視図である。
【符号の説明】
１０    アーチラバーダム
１２    ゴムシート
４０    パイプ（支持体）
４２    支柱
【図１】
0003792873.tif 000002
【図２】
0003792873.tif 000003
【図３】
0003792873.tif 000004
【図４】
0003792873.tif 000005
【図５】
0003792873.tif 000006
【図６】
0003792873.tif 000007
【図７】
0003792873.tif 000008
【図８】
0003792873.tif 000009
【図９】
0003792873.tif 000010